(57)【要約】【課題】ユーザーが電気かみそりの上端側を持った状態で使用する場合であっても、電気かみそりの落下を防止して切断刃部等が破損するのを防止する。【解決手段】本体部１の上側にかみそりヘッド２を有し、かみそりヘッド２の上面に切断刃部３が設けてある電気かみそりを対象とする。本体部１とかみそりヘッド２との境界部Ｎの後側に、手指をあてがうグリップ体１１を配置する。側面から見るときのかみそりヘッド２の中心軸Ｐ３を基準にして、グリップ体１１の第１指受部３２を通る指当て平面Ｒが、前記中心軸Ｐ３に対して前記境界部Ｎより下方において交差するように傾斜させる。グリップ体１１の後面に、グリップ体１１の大半を占める下側の第１指受部３２と、第１指受部３２より上側に配置される第２指受部３３とを設ける。【選択図】図１
2014018402.tif 000002
【特許請求の範囲】
【請求項１】
本体部（１）の上側にかみそりヘッド（２）を有し、かみそりヘッド（２）の上面に切断刃部（３）が設けてある電気かみそりであって、
本体部（１）とかみそりヘッド（２）との境界部（Ｎ）の後側に、手指をあてがうグリップ体（１１）が配置されており、
側面から見るときのかみそりヘッド（２）の中心軸（Ｐ３）を基準にして、グリップ体（１１）の後面に形成した第１指受部（３２）を通る指当て平面（Ｒ）が、前記中心軸（Ｐ３）に対して前記境界部（Ｎ）より下方において交差するように傾斜させてあることを特徴とする電気かみそり。
【請求項２】
グリップ体（１１）は、その上部が本体部（１）の上端より上方に突設してある請求項１に記載の電気かみそり。
【請求項３】
グリップ体（１１）の後面に、グリップ体（１１）の大半を占める下側の第１指受部（３２）と、第１指受部（３２）より上側に配置される第２指受部（３３）とが設けられており、
第２指受部（３３）が第１指受部（３２）の傾斜方向と逆向きに傾斜させてある請求項１または２に記載の電気かみそり。
【請求項４】
グリップ体（１１）の上端が、かみそりヘッド（２）の内部に区画される毛屑収容空間（Ｓ）の底壁（７ａ）より上方に突設してある請求項１から３のいずれかひとつに記載の電気かみそり。
【請求項５】
かみそりヘッド（２）の後面とグリップ体（１１）の前面のいずれか一方に、かみそりヘッド（２）とグリップ体（１１）との間の隙間を塞いでグリップ体（１１）の撓み変形を阻止する補強体（５１）が設けてある請求項１から４のいずれかひとつに記載の電気かみそり。
【請求項６】
側面から見るときの本体部（１）の中心軸が、前記境界部（Ｎ）の近傍において交差する上中心軸（Ｐ１）と下中心軸（Ｐ２）とでく字状に屈曲されており、
本体部（１）の上中心軸（Ｐ１）の延長上にかみそりヘッド（２）の中心軸（Ｐ３）を位置させて、かみそりヘッド（２）が本体部（１）の下中心軸（Ｐ２）に対して前傾させてあり、
本体部（１）の前面上部に形成される内凹み部に前指受部（３０）が設けてある請求項１から５のいずれかひとつに記載の電気かみそり。
【請求項７】
グリップ体（１１）が単独部品で構成されて、本体部（１）を構成する本体ケース（４）の背面上部の装着部（４０）に固定してある請求項１から６のいずれかひとつに記載の電気かみそり。
【請求項８】
グリップ体（１１）と本体ケース（４）の装着部（４０）との間に、互いに係合してグリップ体（１１）のずれ動きを阻止する係合構造が設けてある請求項７に記載の電気かみそり。
【請求項９】
本体部（１）の前面にスイッチパネル（８）が配置されており、
前指受部（３０）に臨むスイッチパネル（８）の上端に、前指受部（３０）と協同して手指を受止める指当壁（３１）が膨出してある請求項６から８のいずれかひとつに記載の電気かみそり。
【発明の詳細な説明】
【技術分野】
【０００１】
本発明は、かみそりヘッドの上面に切断刃部が設けてある電気かみそりに関し、グリップ構造に関して改良を加えたものである。
【背景技術】
【０００２】
電気かみそりのグリップ構造に関して、特許文献１においては、本体ケースの左右側面から背面にわたって、エラストマー製の滑り止め部を連続して設けている。さらに、本体ケースの前面の上部と背面のトリマー操作部にも、エラストマー製の滑り止め部を部分的に形成して、使用時に電気かみそりが滑り落ちるのを防ぎ、使いやすさを向上している。
【０００３】
また、特許文献２の電気かみそりにおいては、電気かみそりの使いやすさと操作性を向上するために、本体ケースの上部の前後面に、主表面壁より膨出する銀杏葉状の台地部を形成し、台地部と主表面壁との間にＶ字状の指受面を形成している。
【先行技術文献】
【特許文献】
【０００４】
【特許文献１】特開２００４−０１６８１３号公報（段落番号００３３、図２）
【特許文献２】特開２００４−２２２９８０号公報（段落番号００３２、図１）
【発明の概要】
【発明が解決しようとする課題】
【０００５】
特許文献１の電気かみそりによれば、本体ケースの表面に手指に対する摩擦抵抗が大きなエラストマー製の滑り止め部を形成するので、使用時に電気かみそりが滑り落ちるのを防止できる。しかし、特許文献１の滑り止め部は、本体ケースの上端より下方にしか形成されていない。しかも、側面から見るときのかみそりヘッドの上下方向の中心線を通る平面を基準面とするとき、本体ケースの前面の上部と背面のトリマー操作部に形成した滑り止め部が、先の基準面と平行になっている。そのため、切断刃部の近くの部分を親指と人指し指とで前後に挟み持ってひげ切断を行う場合などに、電気かみそりが手から滑り落ちやすい。特許文献２の電気かみそりにおいても、本体ケースの前後面に膨出された台地部がほぼ平行であるため、前後の台地部を親指と人指し指で挟み持ってひげ切断を行う場合などに、電気かみそりが手から滑り落ちやすい。
【０００６】
本発明者は、電気かみそりの落下事故の発生原因を検討した。その結果、電気かみそりの落下事故は、設計者が用意した「滑り止め部」や「指受面」等の推奨された部位に指先を当てがっていない状態で使用する際に発生しやすいことが判った。具体的には、例えば、滑り止め部や指受面より上側に位置するかみそりヘッドや本体部を、親指と人指し指とで前後に挟み持ってひげ切断を行う場合に、電気かみそりが落下しやすいことが判った。
【０００７】
本発明は上記の知見に基づき提案されたものであって、その目的は、ユーザーが電気かみそりの上端側を持った状態で使用する場合であっても、電気かみそりの落下を防止して切断刃部等が破損するのを防止できる電気かみそりを提供することにある。
本発明の目的は、使用時の持ちやすさと操作性の向上を実現しながら、使用時の落下をよく防止して使い勝手を向上した電気かみそりを提供することにある。
【課題を解決するための手段】
【０００８】
本発明は、本体部１の上側にかみそりヘッド２を有し、かみそりヘッド２の上面に切断刃部３が設けてある電気かみそりを対象とする。本体部１とかみそりヘッド２との境界部Ｎの後側に、手指をあてがうグリップ体１１を配置する。図１に示すように、側面から見るときのかみそりヘッド２の中心軸Ｐ３を基準にして、グリップ体１１の後面に形成した第１指受部３２を通る指当て平面Ｒが、前記中心軸Ｐ３に対して前記境界部Ｎより下方において交差するように傾斜してあることを特徴とする。
【０００９】
第１指受部３２を通る指当て平面Ｒは、図１に示すように第１指受部３２が平坦面で形成してある場合には、側面から見るときの第１指受部３２の平坦面を通る平面として特定することができ、指当て平面Ｒは、上面から見るときの本体部１の中心軸を通る前後方向の垂直平面と直交している。しかし、グリップ体１１の第１指受部３２の殆どは、例えば縦断面が外膨らみ状に湾曲し、さらに横断面が外膨らみ状に湾曲する３次元平面で形成される。さらに、第１指受部３２の左右中央部の縦断面の外形線は、図２（ａ）に示すように単一の湾曲半径ｒ１で形成した湾曲線である場合と、図２（ｂ）に示すように複数の湾曲半径ｒ１・ｒ２で形成した湾曲線である場合と、図２（ｃ）に示すように単一の湾曲半径ｒ１で形成した内凹み状の湾曲線である場合と、図２（ｄ）に示すように複数の湾曲半径ｒ１・ｒ２・ｒ３で波形に形成した湾曲線である場合などがある。また、第１指受部３２の横断面の形状も、縦断面の外形線と同様に外突状の湾曲線である場合と、内凹み状の湾曲線である場合と、複数の湾曲半径で形成した湾曲線である場合などがある。しかし、これらの湾曲線の途中形状の違いは、第１指受部３２が平坦面である場合を基本にすると、平坦面の上端（始端部）と下端（終端部）の間の途中形状の変化として理解することができる。従って、本発明においては、図２において第１指受部３２の左右中央部の縦断面の外形線の始端部ａと終端部ｂとを結ぶ線を基準線Ｌにして、この基準線Ｌを通る縦平面であって、基準線Ｌを通る縦平面が、上面から見るときの本体部１の中心軸を通る前後方向の垂直平面と大きな交差角度で交差する平面を、第１指受部３２を通る指当て平面Ｒとする。指当て平面Ｒは、基準線Ｌを通る平面が、上面から見るときの本体部１の中心軸を通る前後方向の垂直平面と直交する平面で形成することができる。
【００１０】
グリップ体１１は、その上部を本体部１の上端より上方に突設させる。
【００１１】
グリップ体１１の後面に、グリップ体１１の大半を占める下側の第１指受部３２と、第１指受部３２より上側に配置される第２指受部３３とを設ける。図１に示すように、第２指受部３３は第１指受部３２の傾斜方向と逆向きに傾斜させる。
【００１２】
図５に示すように、グリップ体１１の上端は、かみそりヘッド２の内部に区画される毛屑収容空間Ｓの底壁７ａより上方に突設する。
【００１３】
かみそりヘッド２の後面とグリップ体１１の前面のいずれか一方に、かみそりヘッド２とグリップ体１１との間の隙間を塞いでグリップ体１１の撓み変形を阻止する補強体５１を設ける。
【００１４】
側面から見るときの本体部１の中心軸を、前記境界部Ｎの近傍において交差する上中心軸Ｐ１と下中心軸Ｐ２とでく字状に屈曲させる。本体部１の上中心軸Ｐ１の延長上にかみそりヘッド２の中心軸Ｐ３を位置させて、かみそりヘッド２を本体部１の下中心軸Ｐ２に対して前傾させる。本体部１の前面上部に形成される内凹み部に前指受部３０を設ける。
【００１５】
グリップ体１１を単独部品で構成して、本体部１を構成する本体ケース４の背面上部の装着部４０に固定する。
【００１６】
グリップ体１１と本体ケース４の装着部４０との間に、互いに係合してグリップ体１１のずれ動きを阻止する係合構造を設ける。
【００１７】
本体部１の前面にスイッチパネル８を配置する。前指受部３０に臨むスイッチパネル８の上端に、前指受部３０と協同して手指を受止める指当壁３１を膨出する。
【発明の効果】
【００１８】
本発明においては、本体部１とかみそりヘッド２との境界部Ｎの後側に、手指をあてがうグリップ体１１を配置し、グリップ体１１の後面の第１指受部３２を通る指当て平面Ｒを、かみそりヘッド２の中心軸Ｐ３に対して境界部Ｎより下方において交差するように傾斜させた。このように、かみそりヘッド２の中心軸Ｐ３と、グリップ体１１の後面を通る指当て平面Ｒを逆ハ字状に配置すると、電気かみそりが手指から滑り落ちようとしても、かみそりヘッド２とグリップ体１１の後面の少なくともいずれか一方が親指又は人指し指に引っ掛かるので、電気かみそりの落下を防止できる。従って、ユーザーが電気かみそりの上端側を持った状態で使用する場合であっても、電気かみそりの落下を防止して切断刃部３等が落下衝撃を受けて破損するのをよく防止できる。また、操作しやすい電気かみそりの上端側を持った状態でひげ切断を行えるので、電気かみそりを使用する際の持ちやすさと操作性の向上を実現できる。
【００１９】
グリップ体１１の上部が本体部１の上端より上方に突設してあると、さらに安定した状態で電気かみそりの上端側を挟み支持し、あるいは握り持つことができる。とくに、小さなスライドストロークで切断刃部３を繰り返し往復させ、あるいは切断刃部３の姿勢を頻繁に変更する使用形態において、電気かみそりをユーザーの意図どおりに操作して、使用時の操作性をさらに向上できる。
【００２０】
グリップ体１１に第１指受部３２と、同指受部３２より上側に配置される第２指受部３３とを設け、第２指受部３３を第１指受部３２の傾斜方向と逆向きに傾斜させると、手指によるグリップ体１１の保持姿勢を多様に変化させることができる。従って、ユーザーはグリップ体１１を自分の好みにあった状態で保持してひげ切断を行うことができ、使用時の操作性をさらに向上することができる。とくに、互いに逆向きに傾斜する第１指受部３２と第２指受部３３とに指先をあてがった状態では、電気かみそりを安定した状態で支持して、切断刃部３を繰り返し往復させ、あるいは切断刃部３の姿勢を頻繁に変更する使用形態において、電気かみそりをユーザーの意図どおりに操作することができる。
【００２１】
グリップ体１１の上端を、かみそりヘッド２の内部に区画される毛屑収容空間Ｓの底壁７ａより上方に突設させると、固定刃ホルダー１７を取外して毛屑収容空間Ｓ内の毛屑の清掃を行なうとき、排出される毛屑が手指に付着するのをグリップ体１１で阻止できる。さらに、毛屑収容空間Ｓ内を水洗い洗浄するとき、洗浄水が手指に付着するのをよく防止できる。
【００２２】
かみそりヘッド２の後面とグリップ体１１の前面のいずれか一方に補強体５１を設けると、グリップ体１１に前向きの外力が作用するとき、グリップ体１１が前向きに撓み変形するのを防止できるので、手指によるグリップ体１１の保持をさらに的確に行うことができる。また、かみそりヘッド２とグリップ体１１との間の隙間を補強体５１で塞ぐので、切断刃部３から落下する毛屑が、かみそりヘッド２とグリップ体１１との間の隙間に入込んで堆積するのを防止できる。従って、ひげを切断するごとに、かみそりヘッド２とグリップ体１１との間に入込んだ毛屑を除去する必要がなく、ひげ切断をより衛生的な状態で行うことができる。
【００２３】
本体部１の中心軸を、上中心軸Ｐ１と下中心軸Ｐ２とでく字状に屈曲させ、かみそりヘッド２を本体部１の下中心軸Ｐ２に対して前傾させる電気かみそりによれば、本体部１の前面上部に形成される内凹み部を利用して前指受部３０とすることができる。本体部１の中心軸がく字状に屈曲することに伴う内凹み部を利用して前指受部３０とするので、別途前指受部３０を形成する場合に比べて、本体部１の構造を簡素化できる。また、内凹み状の前指受部３０は、同指受部３０にあてがった手指が上下にずれ動くのをよく規制できる。さらに、前後に位置する前指受部３０とグリップ体１１とを挟み支持した状態で電気かみそりを使用する場合に、電気かみそりをより安定した状態で支持して、ひげ切断を迅速に行なうことができる。
【００２４】
グリップ体１１を単独部品で構成し、これを本体ケース４の装着部４０に固定すると、グリップ体１１が落下衝撃を受けて破損することがあっても、破損したグリップ体１１を新規なグリップ体１１と交換するだけで電気かみそりを元の状態に修復できる。また、呈色状態が異なる複数のグリップ体１１を設けておくことにより、電気かみそりのデザイン性を拡大できるうえ、ユーザーは自分の好みに合ったグリップ体１１を選定して使用することができる。
【００２５】
グリップ体１１と装着部４０との間に、互いに係合してグリップ体１１のずれ動きを阻止する係合構造を設けると、使用時に手指による大きな握り力や押圧力がグリップ体１１に作用することがあっても、グリップ体１１が装着部４０に対してずれ動くのを確実に防止できる。従って、グリップ体１１と本体部１とを前後に挟んだ状態で支持し、あるいは本体部１とグリップ体１１とを同時に握り持った状態で支持する状態において、電気かみそりをぐら付きのない状態で的確に支持できる。
【００２６】
前指受部３０に臨むスイッチパネル８の上端に指当壁３１を膨出すると、例えば前指受部３０にあてがった親指の下面を指当壁３１で受止めて、親指が下向きに滑るのを規制できる。これにより、前指受部３０とグリップ体１１の後の第１指受部３２とを、親指と人指し指とで挟み持つ場合に、電気かみそりをさらに確りと支持して、ひげ切断をさらに的確に行うことができる。
【図面の簡単な説明】
【００２７】
【図１】本発明に係る電気かみそりの構造原理を示す要部のみの側面図である。
【図２】第１指受部の左右中央部の縦断面の外形線を示す説明図である。
【図３】本発明の実施例１に係る電気かみそりの要部の側面図である。
【図４】実施例１に係る電気かみそりの正面図である。
【図５】実施例１に係る電気かみそりの要部の縦断側面図である。
【図６】グリップ体の係合構造を示す背面図である。
【図７】グリップ体を装着部に装着した状態の背面図である。
【図８】図７におけるＡ−Ａ線断面図である。
【図９】グリップ体の使用例を示す側面図である。
【図１０】グリップ体の別の使用例を示す側面図である。
【図１１】本発明の実施例２に係るグリップ体の側面図である。
【図１２】本発明の実施例３に係るグリップ体の一部破断側面図である。
【図１３】本発明の実施例４に係るグリップ体の側面図である。
【図１４】本発明の実施例５に係るグリップ体の側面図である。
【発明を実施するための形態】
【００２８】
（実施例１）  図３ないし図１０は、本発明を往復動式の電気かみそりに適用した実施例１を示す。本発明における前後、左右、上下とは、図３、図４に示す交差矢印と、各矢印の近傍に表記した前後、左右、上下の表示に従う。なお、構造原理を示す図１の電気かみそりは、本実施例で説明する電気かみそりと基本的に同じであり、第１指受部３２が平坦面で形成してある点が異なるだけであるので、同じ部材に同じ符号を付して、その説明を省略する。
【００２９】
図４において電気かみそりは、グリップを兼ねる本体部１と、本体部１の上側に設けたかみそりヘッド２とで構成してあり、かみそりヘッド２の上面に切断刃部３が設けてある。図３に示すように、側面から見るときの本体部１の中心軸は、本体部１とかみそりヘッド２との境界部Ｎの近傍において交差する上中心軸Ｐ１と下中心軸Ｐ２とでく字状に屈曲させてある。また、側面から見るときのかみそりヘッド２の中心軸Ｐ３を上中心軸Ｐ１の延長上に位置させて、かみそりヘッド２が本体部１の大半を占める下中心軸Ｐ２に対して前傾させてある。
【００３０】
本体部１は、上向きに開口する本体ケース４と、同ケース４の内部に収容されるモーター５および２次電池６と、本体ケース４の上端に固定されるヘッド支持ケース７などで構成してある。本体ケース４の前面には、スイッチパネル８が固定されて、その上部にモーター５への通電状態をオン・オフするスイッチノブ９が配置され、スイッチノブ９の下方に発光表示体１０が配置してある。また、本体ケース４の背面上部には、手指をあてがうためのグリップケース（グリップ体）１１が設けてある。この実施例では、グリップケース１１を単独部品で構成して、後述するように本体ケース４の背面上部に固定した。
【００３１】
かみそりヘッド２は、前後一対のメイン刃１５と、両メイン刃１５の間に配置されるセンター刃１６と、固定刃ホルダー１７などで構成してある。図５に示すように、メイン刃１５は、スリット刃からなる可動刃１８と、網刃からなる固定刃１９とで構成してある。また、センター刃１６は、それぞれスリット刃からなる可動刃２０と固定刃２１とで構成してあり、各固定刃１９・２１は固定刃ホルダー１７で支持してある。モーター５の動力は、その出力軸に固定した偏心カム２３と、ヘッド支持ケース７の内部に配置した振動子２４で往復動力に変換したのち、駆動軸２５を介してメイン刃１５およびセンター刃１６の各可動刃１８・２０に伝動される。先の切断刃部３は、一対のメイン刃１５とセンター刃１６とで構成される。
【００３２】
固定刃ホルダー１７は、ヘッド支持ケース７の上部周面に被せつけられて、図示していない左右のロック爪で分離不能にロックされている。ヘッド支持ケース７の左右には、ロック解除ボタン２８が設けてあり、これらのロック解除ボタン２８を進出ばねの付勢力に抗しながら同時に押し込み操作すると、ロック爪をロック解除状態にして固定刃ホルダー１７をヘッド支持ケース７から取外すことができる。使用時に切断刃部３で切断された毛屑は、固定刃ホルダー１７とヘッド支持ケース７とで区画された毛屑収容空間Ｓ（図５参照）内に収容されており、先に説明した要領で固定刃ホルダー１７を取外すことにより、各可動刃１８・２０を露出させて毛屑を排出できる。
【００３３】
使用時の持ちやすさと操作性の向上を実現し、さらに使用時に誤って電気かみそりが落下するのを防ぐために、本体部１の背面上部にグリップケース１１を設け、さらに、本体部１の前面上部に前指受部３０と指当壁３１を設けている。
【００３４】
図６および図７に示すように、グリップケース１１は、各辺部が外突状に湾曲する逆台形状のプラスチック成形品からなり、その後面に、グリップケース１１の大半を占める第１指受部３２と、第１指受部３２より上側に配置される第２指受部３３とが設けてある。第１指受部３２と第２指受部３３は、両者の間の膨出面３４で区分されている。第１指受部３２の上下３個所には、水平の滑止め溝３５が凹み形成してある。第１指受部３２がかみそりヘッド２の中心軸Ｐ３から離れる向きへ後傾しているのに対して、第２指受部３３は、第１指受部３２の傾斜方向とは逆向きに前傾してある。第１指受部３２の上部と膨出面３４との間には、内凹み状に湾曲する指当面３６が形成してある。
【００３５】
グリップケース１１を本体ケース４に対して強固に固定するために、本体ケース４の背面上部に樋体断面状の装着部４０を膨出形成し、グリップケース１１と装着部４０の接合部との間に、グリップケース１１のずれ動きを阻止する係合構造を設けている。詳しくは図６に示すように、グリップケース１１の下部中央から下向きに第１係合爪４１を突出し、同ケース１１の中央部の左右に断面Ｌ字状の第２係合爪４２を対向する状態で突出し、同ケース１１の中央部の上下に直線リブ状の第３係合爪４３を平行に突出している。また、グリップケース１１の両側上部には、くさび状のスライド片４４が突出してある。
【００３６】
装着部４０の側には、第１係合爪４１と係合する係合溝４５と、第２係合爪４２と係合する断面Ｌ字状の連結片４６と、下側の第３係合爪４３と係合する第１切欠４７が形成してある。加えて、装着部４０の上部左右に、スライド片４４をスライド案内するガイド溝４８が凹み形成してある。上側の第３係合爪４３と係合する第２切欠４９は固定刃ホルダー１７に形成してある。なお、図６におけるグリップケース１１は、係合構造の理解を容易にするために、前後面を逆向きにした状態で表している。
【００３７】
グリップケース１１を上方から装着部４０に差込装着して、図７に示すように、各係合爪４１・４２・４３を係合溝４５と連結片４６と第１切欠４７に係合し、この状態で固定刃ホルダー１７をヘッド支持ケース７に装着して第２切欠４９を第３係合爪４３と係合することにより、グリップケース１１を本体ケース４に強固に固定できる。この状態のグリップケース１１は、本体ケース４および固定刃ホルダー１７によって、前後、左右、上下方向への移動が規制されている。スライド片４４がガイド溝４８と係合していることも、グリップケース１１の左右移動を規制することに役立っている。
【００３８】
上記のように、装着部４０に固定されたグリップケース１１は、その上部が本体部１の上端より上方に突設している。この実施例では、グリップケース１１の第１指受部３２より上側、つまり膨出面３４と第２指受部３３を本体部１の上端より上側に突出させて、グリップケース１１の上端が、かみそりヘッドの内部の毛屑収容空間Ｓの底壁７ａ（ヘッド支持ケース７の上端面）より上方に突設するようにした（図５参照）。このように、グリップケース１１の上端が、毛屑収容空間Ｓの底壁７ａより上方に位置させてあると、固定刃ホルダー１７を取外して毛屑収容空間Ｓ内の毛屑の清掃を行なうとき、排出される毛屑が手指に付着するのをグリップケース１１で阻止できる。また、毛屑収容空間Ｓ内を水洗い洗浄するとき、手指が濡れるのをよく防止できる。
【００３９】
第１指受部３２と第２指受部３３とは、次のように形成してある。まず、図３に示すように、側面から見るときのかみそりヘッド２の中心を通る中心軸Ｐ３を基準にして、グリップケース１１の後面の第１指受部３２を通る指当て平面Ｒが中心軸Ｐ３に対して境界部Ｎより下方において交差するように後向きに傾斜させてある。第１指受部３２を通る指当て平面Ｒとは、図２（ａ）に示すように、第１指受部３２の左右中央部の縦断面の外形線の始端ａと終端ｂとを結ぶ基準線Ｌを想定するとき、基準線Ｌを通る縦方向の平面であって、上面から見るときの本体部１の中心軸を通る前後方向の垂直平面と直交する平面である。なお、指当て平面Ｒは、先の基準線Ｌを通る平面が、上面から見るときの本体部１の中心軸を通る前後方向の垂直平面と大きな交差角度（６０度以上〜９０度未満）で交差するものであってもよい。以上のように、第１指受部３２を通る指当て平面Ｒを後傾させることにより、前傾するかみそりヘッド２の前面および前指受部３０と指当て平面Ｒとは、上広がり状（逆ハ字状）に傾斜する状態で前後に対向する。先に説明したように、第２指受部３３は、第１指受部３２の傾斜方向とは逆向きに前傾してある。
【００４０】
図３に示すように前指受部３０は、本体部１の前面上部に形成される内凹み部を利用して形成する。先に説明したように、本体部１は境界部Ｎの近傍において交差する上中心軸Ｐ１と下中心軸Ｐ２とでく字状に屈曲させてあり、そのため、本体ケース４の前壁を上中心軸Ｐ１と下中心軸Ｐ２に沿って形成することにより、ケース前面の上部に内凹み部が形成される。この内凹み部を前指受部３０として利用することにより、第１指受部３２と対向する位置に前指受部３０を設けることができる。前指受部３０の下側にはスイッチパネル８が配置してあり、前指受部３０と協同して手指を受止める指当壁３１が、スイッチパネル８の上端に膨出形成してある（図３参照）。指当壁３１は下凹み状の湾曲面で形成してあり、前指受部３０にあてがった親指の下面を受止めて、親指が下向きに滑るのを規制する。
【００４１】
先に説明したように、かみそりヘッド２の中心軸Ｐ３と、第１指受部３２を通る指当て平面Ｒとが逆ハ字状に傾斜してある関係で、かみそりヘッド２の後面とグリップケース１１の前面の間にはＶ字状の隙間が形成される。この隙間を塞いでグリップケース１１の前方への撓み変形を阻止するために補強体５１を設けている。補強体５１は、かみそりヘッド２の側とグリップケース１１の側のいずれの側に設けてあってもよいが、この実施例では、固定刃ホルダー１７の後壁を後向きに膨出して補強体５１とし、装着部４０より上側に突出するグリップケース１１の前面を補強体５１で受止められるようにした。
【００４２】
通常の使用状態においては、図９に示すように、親指を前指受部３０にあてがい、他の４指を本体部１の後面にあてがって、人指し指が第１指受部３２に当る状態で本体部１を前後に挟み持ち、あるいは、本体部１の周囲を片手で握り持った状態でひげを剃る。いずれの場合にも、かみそりヘッド２の前面と、第１指受部３２を通る指当て平面Ｒとは逆ハ字状に傾斜して、上広がり状の外郭形状になっている。そのため、電気かみそりが手指から滑り落ちようとしても、かみそりヘッド２の前面と第１指受部３２の少なくともいずれか一方が、親指又は人指し指と接触して受止められる。従って、電気かみそりの落下を防止して切断刃部３等が破損するのをよく防止できる。
【００４３】
本体部１を前後に挟み持った状態では、親指は内凹み状の前指受部３０と指当壁３１とによって２方向から支持される。また、人指し指は第１指受部３２と、その上部の指当面３６とによって２方向から支持されるので、全体として電気かみそりを安定した状態で支持することができる。また、親指の下面を指当壁３１に押付け、人指し指の上面を指当面３６に押付けるようにして電気かみそりを握り持つことにより、電気かみそりの持ちやすさを向上できる。これは、電気かみそりを握り持った状態において、親指および人指し指に互いに逆向きの押付け反力を作用させ、さらに残る３指で本体部１の下半部を受止めて、電気かみそりを手指に対して相対移動する余地のない状態で握り持つことができるからである。
【００４４】
電気かみそりを持つ位置がかみそりヘッド２に近付くほど、切断刃部３をより正確にしかもすばやく動かすことができる。その場合には、図１０に示すように、親指を前指受部３０にあてがい、人指し指を第２指受部３３に、中指を第１指受部３２にあてがって、本体部１を前後に挟み持つ。この状態では、親指が前指受部３０と指当壁３１とによって２方向から支持される。また、人指し指と中指とで第２指受部３３と第１指受部３２とをはさんだ状態で確りと挟み持つことができる。従って、小さなスライドストロークで切断刃部３を繰り返し往復させ、あるいは切断刃部３の姿勢を頻繁に変更して、的確にひげを切断することができ、従来の電気かみそりに比べて操作性を向上できる。
【００４５】
図１１は、本発明に係るグリップケース１１を変更した実施例２を示す。そこでは、グリップケース１１の後面に、第１指受部３２と、第１指受部３２の下部に連続する第３指受部３７を設けて、第１指受部３２を通る指当て平面Ｒが、かみそりヘッド２の中心軸Ｐ３に対して、境界部Ｎより下方において大きな角度で交差するようにした。第３指受部３７には、滑止め溝３５を形成した。この実施例における第１指受部３２は、実施例１の第１指受部３２に比べて、第１指受部３２を通る指当て平面Ｒとかみそりヘッド２の中心軸Ｐ３とで挟まれる角度を大きくして、第１指受部３２にあてがった人指し指や中指をさらに確実に受止めることができる。他は先の実施例と同じであるので、同じ部材に同じ符号を付して、その説明を省略する。以下の実施例においても同じ扱いとする。
【００４６】
図１２は本発明に係るグリップケース１１を変更した実施例３を示す。そこでは、グリップケース１１を平板状の独立部品で構成して、その後面に第１指受面３２のみを設けて、同面３２の上下６個所に滑止め溝３５を形成した。また、平板状に形成したグリップケース１１の後面には、エラストマー製の滑止め体５３を固定して、滑止め体５３と接触する手指が滑るのを防止できるようにした。この実施例における第１指受部３２を通る指当て平面Ｒは、本体部１の下中心軸Ｐ２と概ね平行になっている。
【００４７】
図１３は本発明に係る電気かみそりおよびグリップ体１１を変更した実施例４を示す。そこでは、かみそりヘッド２の全体が、本体部１で前後、左右、上下の各方向へ浮動可能にフロート支持してある。また、グリップ体１１は、本体ケース４と一体に形成して、その後面に第１指受部３２と第２指受部３３を設け、その前面に補強体５１をグリップ体１１と一体に形成するようにした。さらに、第２指受部３３を下凹み状の湾曲面で形成して、第２指受部３３にあてがった人指し指が滑るのを、さらに確実に防止できるようにした。また、前指受部３０を境界部Ｎの近傍に設けて、上下方向により近い位置で本体ケース４とグリップ体１１を挟み保持できるようにした。
【００４８】
図１４は本発明に係る電気かみそりおよびグリップケース１１を変更した実施例５を示す。そこでは、グリップケース１１に実施例２と同様の第１指受部３２と第３指受部３７を設けるようにした。また、グリップケース１１の固定刃ホルダー１７との対向面に補強体５１を設けるようにした。補強体５１の上端とグリップケース１１の前面上部には、逆へ字状の凹みが形成されるので、この凹み部分を第２指受部３２として利用することができる。この実施例における本体部１の中心軸は、下中心軸Ｐ２のみで垂直に形成し、その延長線上にかみそりヘッド２の中心軸Ｐ３を位置させるようにした。このように、本発明に係るグリップケース１１は、本体部１の中心軸とかみそりヘッド２の中心軸が垂直線上に位置している電気かみそりにも支障なく適用することができる。
【００４９】
上記の実施例では、グリップ体１１を独立部品で成したがその必要はなく、本体ケース４と一体に形成することができる。その場合には、補強体５１をグリップ体１１と一体に形成することができる。本発明は、往復動式の切断刃部３を備えた電気かみそり以外に、ロータリー式のメイン刃を含む切断刃部３を備えた電気かみそりにも、支障なく適用することができる。
【符号の説明】
【００５０】
１  本体部
２  かみそりヘッド
３  切断刃部
４  本体ケース
１１  グリップケース（グリップ体）
３０  前指受部
３１  指当壁
３２  第１指受部
３３  第２指受部
Ｐ１  本体部の上中心軸
Ｐ２  本体部の下中心軸
Ｐ３  かみそりヘッドの中心軸
Ｒ  第１指受部を通る指当て平面
【図１】
2014018402.tif 000003
【図２】
2014018402.tif 000004
【図３】
2014018402.tif 000005
【図４】
2014018402.tif 000006
【図５】
2014018402.tif 000007
【図６】
2014018402.tif 000008
【図７】
2014018402.tif 000009
【図８】
2014018402.tif 000010
【図９】
2014018402.tif 000011
【図１０】
2014018402.tif 000012
【図１１】
2014018402.tif 000013
【図１２】
2014018402.tif 000014
【図１３】
2014018402.tif 000015
【図１４】
2014018402.tif 000016